(57)【要約】【課題】消雪設備のポンプ等を停止させることなく、ポンプ等作動時の消雪運転時等においても、ドレーン抜き作業を容易に行うことができる。【解決手段】内部に空洞部５が形成され、上部に該空洞部に連通する排水口部６が形成され、下部に消雪水を送水する送水パイプＴに接続可能な接続口部７が形成された弁本体１と、上記弁本体の空洞部と接続口部との間に設けられ、該空洞部と接続口部とを連通する通水路９をもつ弁座体８と、該通水路を開閉可能な弁体をもつ弁機構１０とを備えてなる。【選択図】　　　　図１
2004068422.tif 000002
【特許請求の範囲】
【請求項１】
内部に空洞部が形成され、上部に該空洞部に連通する排水口部が形成され、下部に消雪水を送水する送水パイプに接続可能な接続口部が形成された弁本体と、上記弁本体の空洞部と接続口部との間に設けられ、該空洞部と接続口部とを連通する通水路をもつ弁座体と、該通水路を開閉可能な弁体をもつ弁機構とを備えてなることを特徴とする消雪設備用ドレーン弁。
【請求項２】
上記弁機構に排水口部からの排水量を調節可能な水量調節機構を含ませてなることを特徴とする請求項１記載の消雪設備用ドレーン弁。
【請求項３】
上記水量調節機構として、上記弁本体に上記弁体を上記弁座体に対して進退調節自在に螺着し、該弁体の弁面を上記弁座体の弁座面に密着させて上記通水路を閉塞すると共に該弁座体の弁座面から弁体の弁面を所定距離離反させて該通水路を調節開口するように設けてなることを特徴とする請求項２記載の消雪設備用ドレーン弁。
【発明の詳細な説明】
【０００１】
【発明の属する技術分野】
本発明は例えば送水パイプの末端等に取り付けられる消雪設備用ドレーン弁に関するものである。
【０００２】
【従来の技術】
従来、この種のドレーン構造として、例えば、実開平３−５８３２２号公報の如く、地下水等の消雪水を汲み上げるポンプから送水される消雪水を送水する送水パイプを地下に埋設し、路面等に消雪水を散水する消雪ノズルを複数個配設すると共に各消雪ノズルと送水パイプとの間を分岐配管してなる消雪設備に用いられ、この送水パイプの末端等に取り付けられる止水筒体と、この止水筒体の内周面に螺着される止水栓体とからなる構造のものが知られている。
【０００３】
しかして、消雪時には、消雪設備のポンプを運転し、送水パイプを介して消雪ノズルから消雪水を散水することにより水の温度エネルギー等で路面等の積雪を消すことになり、又、降雪時の直前等のドレーン抜き時において、止水筒体から止水栓体を取り外し、送水パイプに水を送水し、止水栓体から消雪水を放水することにより送水パイプ内の泥、砂利や塵埃を外に放出し、長時間散水により生ずる送水パイプ内の泥、砂利や塵埃による目詰まり現象を防止するように構成している。
【０００４】
【発明が解決しようとする課題】
しかしながら上記従来構造の場合、ドレーン抜き時において、止水筒体から止水栓体を取り外すと消雪水は止水筒体から勢いよく噴き出すので、ポンプを一旦止め、この消雪設備の停止時において、止水筒体から止水栓体を取り外し、ポンプ近傍位置に配置された調節弁により噴出水量を調節しつつポンプを作動して放水させることになり、よって、ポンプ作動時、消雪散水時においてはドレーン抜きを行うことができず、消雪設備を停止しなければドレーン抜きができず、それだけ、ドレーン抜き作業が面倒になっていると共にポンプは止水栓体から遠く離れた箇所に設置されていることが多く、ドレーン抜き作業が一層厄介なものとなっているという不都合を有している。
【０００５】
【課題を解決するための手段】
本発明はこのような課題を解決することを目的とするもので、本発明のうちで、請求項１記載の発明は、内部に空洞部が形成され、上部に該空洞部に連通する排水口部が形成され、下部に消雪水を送水する送水パイプに接続可能な接続口部が形成された弁本体と、上記弁本体の空洞部と接続口部との間に設けられ、該空洞部と接続口部とを連通する通水路をもつ弁座体と、該通水路を開閉可能な弁体をもつ弁機構とを備えてなることを特徴とする消雪設備用ドレーン弁にある。
【０００６】
又、請求項２記載の発明は、上記弁機構に排水口部からの排水量を調節可能な水量調節機構を含ませてなることを特徴とするものであり、又、請求項３記載の発明は、上記水量調節機構として、上記弁本体に上記弁体を上記弁座体に対して進退調節自在に螺着し、該弁体の弁面を上記弁座体の弁座面に密着させて上記通水路を閉塞すると共に該弁座体の弁座面から弁体の弁面を所定距離離反させて該通水路を調節開口するように設けてなることを特徴とするものである。
【０００７】
【発明の実施の形態】
図１乃至図６は本発明の実施の形態例を示し、図１乃至図４は第一形態例、図５、図６は第二形態例である。
【０００８】
図１乃至図４の第一形態例において、１は弁本体であって、ステンレス鋼、鋳鉄等により製作され、この場合、外部材２及び内部材３の二部材からなり、外部材２と内部材３とを螺子部４により螺着連結することにより内部に空洞部５を形成し、内部材３の上部に空洞部５に連通する排水口部６を四個形成し、外部材２の下部に消雪水Ｗを送水する送水パイプＴの枝管Ｔ１に接続可能な接続口部７を形成している。
【０００９】
８は弁座体であって、上記弁本体１の内部材３の下部中央に螺子部３ｃにより螺着固定されて弁本体１の空洞部５と接続口部７との間に設けられ、この内部材３に空洞部５と接続口部７とを連通する通水路９が形成されている。
【００１０】
１０は弁機構であって、この場合、排水口部６からの排水量を調節可能な水量調節機構１１を含む構造となっており、上記弁本体１の内部材３に上記弁体１２を螺子部１２ｃにより螺着し、弁体１２にレンチ穴１２ｂを形成し、内部材３にレンチ挿通穴３ａを形成すると共にレンチ挿通穴３ａを塞ぐゴム等の栓材３ｂを設け、弁体１２の正逆回動により弁体１２を上下進退調節自在に設けている。
【００１１】
しかして、弁体１２の正逆回動により弁座体８に対して弁体１２を下降させることにより弁体１２の弁面１２ａを上記弁座体８の弁座面８ｂに密着させて通水路９を閉塞すると共に弁体１２を上昇させることにより弁座体８の弁座面８ａから弁体１２の弁面１２ａを所定距離離反させて通水路９を調節開口するように構成している。
【００１２】
この実施の第一形態例は上記構成であるから、図４の如く、地下水等の消雪水Ｗを汲み上げる図示省略のポンプから送水される消雪水を送水する送水パイプＴを地下に埋設し、路面Ｇ等に消雪水Ｗを散水する消雪ノズルＳを複数個配設すると共に各消雪ノズルＳと送水パイプＴとの間を分岐配管Ｔ１してなる消雪設備Ｋにおいて、送水パイプＴの末端等に弁本体１の接続口部７を接続し、弁本体１を路面等に固定設置することになる。
【００１３】
この際、図１の如く、弁機構１０の弁体１２を螺子作用により下降させることにより弁体１２の弁面１２ａを上記弁座体８の弁座面８ｂに密着させて通水路９を閉塞することができ、他方、図３の如く、弁体１２を上昇させることにより弁座体８の弁座面８ａから弁体１２の弁面１２ａを所定距離離反させて通水路９を調節開口することができ、よって、ドレーン抜き時においては、図示省略のレンチにより外部から弁体１２を上昇させることにより通水路９を開口すると、送水パイプＴ内の消雪水Ｗは空洞部５を介して排水口部６から放水され、この放水により送水パイプＴ内の泥、砂利や塵埃は外に放出され、長時間散水により生ずる送水パイプＴ内の泥、砂利や塵埃による目詰まり現象を防止することができ、又、ドレーン抜き時以外においては、弁座体８に対して弁体１２を下降させることにより弁体１２の弁面１２ａを上記弁座体８の弁座面８ｂに密着させて通水路９を閉塞することができる。
【００１４】
従って、消雪設備のポンプ等を停止させることなく、ポンプ等作動時の消雪運転時等においても、ドレーン抜き作業を容易に行うことができる。
【００１５】
この場合、上記弁機構１０に排水口部６からの排水量を調節可能な水量調節機構１１を含ませてなるから、消雪領域に応じて消雪水Ｗの排水量を調節することができ、消雪水の浪費を回避することができ、又、この場合、上記水量調節機構１１として、上記弁本体１に上記弁体１２を上記弁座体８に対して進退調節自在に螺着し、弁体１２の弁面１２ａを上記弁座体８の弁座面８ａに密着させて通水路９を閉塞すると共に弁座体８の弁座面８ａから弁体１２の弁面１２ａを所定距離離反させて通水路９を調節開口するように設けているから、水量調節機構１１の構造を簡素化することができると共に弁機構１０の開閉調節を容易に行うことができる。
【００１６】
図５、図６の第二形態例は別例構造を示し、この場合、上記第一形態例と同様な構造となっているが、弁機構１０において、弁座体８の弁座面８ａをテーパー面に形成すると共に弁体１２の弁面１２ａをテーパー面に形成した構造となっている。
【００１７】
しかして、図５の如く、弁体１２の正逆回動により弁座体８に対して弁体１２を下降させることにより弁体１２の弁面１２ａを上記弁座体８の弁座面８ｂにテーパー面密着させて通水路９を閉塞し、図６の如く、弁体１２を上昇させることにより弁座体８の弁座面８ａから弁体１２の弁面１２ａを所定距離離反させて通水路９を調節開口するように構成している。
【００１８】
この実施の第二形態例にあっては、上記第一形態例と同様な作用効果を得ることができる。
【００１９】
尚、本発明は上記実施の形態例に限られるものではなく、弁本体１、弁機構１０等の構造や材質等は適宜変更して設計される。
【００２０】
【発明の効果】
本発明は上述の如く、請求項１記載の発明にあっては、内部に空洞部が形成され、上部に該空洞部に連通する排水口部が形成され、下部に消雪水を送水する送水パイプに接続可能な接続口部が形成された弁本体と、上記弁本体の空洞部と接続口部との間に設けられ、該空洞部と接続口部とを連通する通水路をもつ弁座体と、該通水路を開閉可能な弁体をもつ弁機構とを備えてなるから、消雪設備のポンプ等を停止させることなく、ポンプ等作動時の消雪運転時等においても、ドレーン抜き作業を容易に行うことができる。
【００２１】
又、請求項２記載の発明にあっては、上記弁機構に排水口部からの排水量を調節可能な水量調節機構を含ませてなるから、消雪領域に応じて消雪水の排水量を調節することができ、消雪水の浪費を回避することができ、又、請求項３記載の発明にあっては、上記水量調節機構として、上記弁本体に上記弁体を上記弁座体に対して進退調節自在に螺着し、弁体の弁面を上記弁座体の弁座面に密着させて通水路を閉塞すると共に弁座体の弁座面から弁体の弁面を所定距離離反させて通水路を調節開口するように設けているから、水量調節機構の構造を簡素化することができると共に弁機構の開閉調節を容易に行うことができる。
【００２２】
以上、所期の目的を充分達成することができる。
【図面の簡単な説明】
【図１】本発明の実施の第一形態例の全体断面図である。
【図２】本発明の実施の第一形態例の全体平面図である。
【図３】本発明の実施の第一形態例の全体断面図である。
【図４】本発明の実施の第一形態例の使用状態説明図である。
【図５】本発明の実施の第二形態例の全体断面図である。
【図６】本発明の実施の第二形態例の全体断面図である。
【符号の説明】
Ｔ　送水パイプ
１　弁本体
５　空洞部
６排水口部
７　接続口部
８　弁座体
８ａ　弁座面
９　通水路
１０　弁機構
１１　水量調節機構
１２　弁体
１２ａ　弁面
【図１】
2004068422.tif 000003
【図２】
2004068422.tif 000004
【図３】
2004068422.tif 000005
【図４】
2004068422.tif 000006
【図５】
2004068422.tif 000007
【図６】
2004068422.tif 000008